(57)【特許請求の範囲】
【請求項１】
用紙を出し入れ許容する反転路の始端側に位置して一方向に回転する第１のローラと、
前記第１のローラと並設して対接し、該第１のローラとの回転で用紙を反転路内に送り込む第２のローラと、
前記第１のローラを挟んで前記第２のローラと対向する側で、前記第１のローラと並設して対接し、該第１のローラとの回転で用紙を反転路外に搬出する第３のローラと、
前記反転路内に配設し、前記第１と第２のローラによる送り込みの用紙搬送力に対してはスリップする搬送力で用紙に搬出方向の搬送力を付与する第４のローラと、
前記第４のローラとの間で搬送されてきた用紙の搬送突入力に抗する用紙押え付け力を付与する押え付けガイド部材とを備えて、送り込んだ用紙の表裏を反転して搬出する用紙反転装置であって、
前記押え付けガイド部材の押え付け面を、前記第４のローラの外周面と同円弧形状に弯曲形成した
用紙反転装置。
【請求項２】
前記押え付けガイド部材は押え付け力を有する第１部材と、前記第４のローラ外周面に沿う形状の第２部材とに分割し、
前記第１部材に支持される第２部材の支持位置を傾動支点に、第２部材を搬送方向に傾動許容して設けた
請求項１記載の用紙反転装置。
【請求項３】
前記第２部材は中間部を傾動支点に設け、その傾動後部側と第１部材との間を傾動量調整用の弾性部材で連結した
請求項２記載の用紙反転装置。
【請求項４】
前記第１のローラと第２のローラにより搬送されてきた用紙の搬送突入力を受けて傾動退避する傾動レバーと、
前記傾動レバーの傾動力を受けて押え付けガイド部材を前記第４のローラ側に押圧付勢させる押圧付勢手段とを備えた
請求項１、２または３記載の用紙反転装置。
【請求項５】
用紙を出し入れ許容する反転路の始端側に位置して一方向に回転する第１のローラと、
前記第１のローラと並設して対接し、該第１のローラとの回転で用紙を反転路内に送り込む第２のローラと、
前記第１のローラを挟んで前記第２のローラと対向する側で、前記第１のローラと並設して対接し、該第１のローラとの回転で用紙を反転路外に搬出する第３のローラと、
前記反転路内に配設し、前記第１と第２のローラによる送り込みの用紙搬送力に対してはスリップする搬送力で用紙に搬出方向の搬送力を付与する第４のローラとを備えて、送り込んだ用紙の表裏を反転して搬出する用紙反転装置であって、前記第４のローラの回転軸と同軸に第４のローラの一部を覆い、かつ搬入されてきた用紙の先端と当接する当接面を有し、その用紙の搬送突入力を受けて回転退避する回転部材と、
前記回転部材の回転待機時には、この回転部材に位置規制されて第４のローラ側への押え付け力が規制され、回転部材の回転退避時には、この回転部材との位置規制が解除されて第４のローラとの間で用紙押え付け力を付与する押え付けガイド部材とを備えた
用紙反転装置。
【請求項６】
前記押え付けガイド部材は、第１のローラと第２のローラにより薄紙が搬入されてきたときは、その薄紙の搬送突入力を受けて退避し、厚紙が搬入されてきたときは、その厚紙の搬送突入力を受けて退避すると共に、その用紙の厚さに応じて弾性支持力を強める弾性退避規制部材を備えた
請求項１、２、３または４記載の用紙反転装置。
【発明の詳細な説明】
【０００１】
【発明の属する技術分野】
この発明は、例えば複数枚複写時の頁整列あるいは表裏両面複写時に用紙の反転を必要とする高性能複写機に内部構成されるような用紙反転装置に関し、さらに詳しくは用紙厚さに適した反転処理を行う高反転性能を有する用紙反転装置に関する。
【０００２】
【従来の技術】
一般に、この種の用紙反転装置は、例えば特開平７ー２３２８４８号公報に開示されており、その反転構造は、図２４に示すように、時計方向に回転する中間ローラ２４１に対し、その両側に搬入ローラ２４２と搬出ローラ２４３を圧接させ、中間ローラ２４１と搬入ローラ２４２の間に挟持されるように用紙２４４が搬送されてくると、この用紙２４４はガイド板２４５にガイドされながら対設ベルト２４６面間との間で形成される傾斜反転路２４７内に斜め上向きに搬送される。
【０００３】
この搬入された用紙２４４の終端部が中間ローラ２４１と搬入ローラ２４２から離脱すると、重力にしたがって用紙２４４の終端部（下端部）は、図中下方向に移動する。このとき、対設ベルト２４６を反時計方向に回転させると、用紙２４４の終端部（下端部）が中間ローラ２４１と搬出ローラ２４３の間に挟持され、用紙２４４は、それまでとは反対の方向に搬送される。
【０００４】
ところが、この場合は用紙の重力を利用して搬入方向から搬出方向に導く反転構造のため、傾斜反転路２４７内で用紙２４４が中間ローラ２４１と搬出ローラ２４３の間に確実に移動せず、搬送不良が発生することがあった。
【０００５】
【発明が解決しようとする課題】
このため、反転路の内方に用紙の搬入方向と逆方向に回転する反転ローラと用紙に搬入負荷を与える押え付けガイド部材を配設して用紙の重力を利用しないで反転できる用紙反転装置が提供されている。
【０００６】
しかし、この場合は反転ローラが用紙の搬入方向と逆方向に回転するため、ここに搬入した用紙は反転ローラにより逆向きの搬送力を受ける。この結果、薄紙の場合は反転ローラと押え付けガイド部材との挟持圧が強いと薄紙の先端が折れ曲ったり（座屈）、変形圧縮されてしまう。また、厚紙の場合は、反転ローラと押え付けガイド部材との挟持圧が弱いと確実に挟持されず、上向き搬入の場合は厚紙の自重により落下してしまう問題を有していた。
【０００７】
そこでこの発明は、１枚ずつ挟持搬送される用紙は直進時の搬送慣性力が大きく、このために用紙の先端部が他部材との接触時に変形しやすく、この用紙の先端部に加わる過負荷を解消可能な退避構造を備えることにより、用紙の厚さに拘らず円滑に反転動作を得ることができる用紙反転装置の提供を目的とする。
【０００８】
【課題を解決するための手段】
請求項１記載の発明は、用紙を出し入れ許容する反転路の始端側に位置して一方向に回転する第１のローラと、前記第１のローラと並設して対接し、該第１のローラとの回転で用紙を反転路内に送り込む第２のローラと、前記第１のローラを挟んで前記第２のローラと対向する側で、前記第１のローラと並設して対接し、該第１のローラとの回転で用紙を反転路外に搬出する第３のローラと、前記反転路内に配設し、前記第１と第２のローラによる送り込みの用紙搬送力に対してはスリップする搬送力で用紙に搬出方向の搬送力を付与する第４のローラと、前記第４のローラとの間で搬送されてきた用紙の搬送突入力に抗する用紙押え付け力を付与する押え付けガイド部材とを備えて、送り込んだ用紙の表裏を反転して搬出する用紙反転装置であって、前記押え付けガイド部材の押え付け面を、前記第４のローラの外周面と同円弧形状に弯曲形成したことを特徴とする。
【０００９】
請求項２記載の発明は、押え付けガイド部材は押え付け力を有する第１部材と、前記第４のローラ外周面に沿う形状の第２部材とに分割し、前記第１部材に支持される第２部材の支持位置を傾動支点に、第２部材を搬送方向に傾動許容して設けたことを特徴とする。
【００１０】
請求項３記載の発明は、第２部材は中間部を傾動支点に設け、その傾動後部側と第１部材との間を傾動量調整用の弾性部材で連結したことを特徴とする。
【００１１】
請求項４記載の発明は、第１のローラと第２のローラにより搬送されてきた用紙の搬送突入力を受けて傾動退避する傾動レバーと、前記傾動レバーの傾動力を受けて押え付けガイド部材を前記第４のローラ側に押圧付勢させる押圧付勢手段とを備えたことを特徴とする。
【００１２】
請求項５記載の発明は、用紙を出し入れ許容する反転路の始端側に位置して一方向に回転する第１のローラと、前記第１のローラと並設して対接し、該第１のローラとの回転で用紙を反転路内に送り込む第２のローラと、前記第１のローラを挟んで前記第２のローラと対向する側で、前記第１のローラと並設して対接し、該第１のローラとの回転で用紙を反転路外に搬出する第３のローラと、前記反転路内に配設し、前記第１と第２のローラによる送り込みの用紙搬送力に対してはスリップする搬送力で用紙に搬出方向の搬送力を付与する第４のローラとを備えて、送り込んだ用紙の表裏を反転して搬出する用紙反転装置であって、前記第４のローラの回転軸と同軸に第４のローラの一部を覆い、かつ搬入されてきた用紙の先端と当接する当接面を有し、その用紙の搬送突入力を受けて回転退避する回転部材と、前記回転部材の回転待機時には、この回転部材に位置規制されて第４のローラ側への押え付け力が規制され、回転部材の回転退避時には、この回転部材との位置規制が解除されて第４のローラとの間で用紙押え付け力を付与する押え付けガイド部材とを備えたことを特徴とする。
【００１３】
請求項６記載の発明は、押え付けガイド部材は、第１のローラと第２のローラにより薄紙が搬入されてきたときは、その薄紙の搬送突入力を受けて退避し、厚紙が搬入されてきたときは、その厚紙の搬送突入力を受けて退避すると共に、その用紙の厚さに応じて弾性支持力を強める弾性退避規制部材を備えたことを特徴とする。
【００１４】
【発明の作用及び効果】
この発明によれば、用紙を反転操作する際、第１と第２のローラの間に１枚の用紙を導いて反転路の始端側より挟持して搬入させ、搬入された用紙はその先端部が、反転路内方の第４のローラと押え付けガイド部材との間に突入する。このとき、反転路に搬入されてきた用紙に対し、その搬送突入力に抗する用紙押え付け力を押え付けガイド部材より付与しながら搬入させ、用紙の終端部が第１と第２のローラの挟持搬送力から開放されて、この反転路内に完全搬入されて用紙が自由状態になった時点で、今までとは逆方向の第４のローラの反転方向の搬送力を受けて用紙は第１と第３のローラ間の搬出方向に導かれ、これより表裏が反転されて反転路外に搬出される。
【００１５】
この場合、押え付けガイド部材の押え付け面を、前記第４のローラの外周面と同円弧形状に弯曲形成してあるため、反転路に導かれた用紙が薄紙の場合は、比較的腰が弱いため押え付けガイド部材の円弧形状及び第４のローラの外周面に薄紙の先端部がなじむ如く沿いながら搬入する。それゆえ、押え付けガイド部材の変位量は小さく、薄紙に適した押え付け力が付与される。
【００１６】
これに対し、厚紙の場合は腰が強いため、搬入方向の直進性が強く、この厚紙の先端部で押え付けガイド部材を押し退ける如く搬入するため、押え付けガイド部材の変位量が大きく、そのときの押え付け反力が増大し、厚紙に対しては十分な押え付け力を得ることができる。この結果、用紙の厚さに追従して押え付け力を付与する可変押え付け力が得られる。このため、薄紙が折れ曲ったり、圧縮変形せず、また厚紙を確実に挟持して円滑に反転処理を行うことができる。
【００１７】
さらに、押え付けガイド部材を押え付け力を有する第１部材と、第４のローラ外周面に沿う形状の第２部材とに分割し、第１部材に支持される第２部材の支持位置を傾動支点に、第２部材を搬送方向にシーソー状に傾動許容して設けた場合は、第２部材が用紙の搬送突入力を受けて傾動許容し、このとき第２部材の先端側は対向する第４のローラ側より押圧退避し、第２部材の後端側が押圧動作する。したがって、用紙の搬送突入時に該用紙に最も負荷がかかる第４のローラへの突入時に用紙の先端が第４のローラの位置を抜けた時点で、傾動許容する第２部材の後端側で押圧するため用紙の先端部に負荷が加わらず、それゆえ座屈や変形を解消して安定した搬入動作が得られる。
【００１８】
さらに、第２部材の中間部を傾動支点に設け、この第２部材の後部側と第１部材との間を傾動量調整用の弾性部材で連結した場合は、薄紙の搬入に際しては、第２部材を弾性支持する傾動量調整用の弾性部材の比較的弱い押え付けガイド作用と共にその傾動許容作用により、薄紙に応じた押圧ガイドを行い、厚紙の搬入に際しては、第１部材の本来の押え付けガイド作用により厚紙に応じた押圧ガイドを行い、薄紙から厚紙までの通紙処理範囲を大きくとることができる。
【００１９】
また、第１のローラと第２のローラにより搬送されてきた用紙の搬送突入力を受けて傾動退避する傾動レバーと、この傾動レバーの傾動力を受けて押え付けガイド部材を第４のローラ側に押圧付勢させる押圧付勢手段を備えた場合は、反転路に搬入された用紙の搬送突入力に連動して傾動レバーが傾動し、この動きに応じて押圧付勢手段が押え付けガイド部材を第４のローラ側に押え付け動作させる連動型に設けることができる。したがって、薄紙が搬入されたときは小さな搬送突入力が生じて小さな押え付け力となり、厚紙が搬入されたときは大きな搬送突入力が生じて大きな押え付け力となる。このため、搬入された用紙の厚さに応じた適切な押圧力を自然に得ることができる。
【００２０】
また、第４のローラの回転軸と同軸に第４のローラの一部を覆い、かつ搬入されてきた用紙の先端と当接する当接面を有し、その用紙の搬送突入力を受けて回転退避する回転部材と、この回転部材の回転待機時には、この回転部材に位置規制されて第４のローラ側への押え付け力が規制され、回転部材の回転退避時には、この回転部材との位置規制が解除されて第４のローラとの間で用紙押え付け力を付与する押え付けガイド部材とを備えた場合は、反転路に搬入された用紙の先端部が回転部材の当接面に当たって搬出方向に回転する第４のローラには接触しないため、搬入時に第４のローラの搬出方向の負荷がかからず、円滑に搬入動作される。その後、用紙の先端部が回転部材を押し退けて第４のローラの位置を通過すると、回転部材も回転退避して第４のローラの外周面が表れ、これに用紙が接して搬出力を受け、搬入力を受けなくなった時点で用紙は今までとは反対の搬出方向へと搬送される。
【００２１】
さらに、押え付けガイド部材は、第１のローラと第２のローラにより薄紙が搬入されてきたときは、その薄紙の搬送突入力を受けて退避し、厚紙が搬入されてきたときは、その厚紙の搬送突入力を受けて退避すると共に、その用紙の厚さに応じて弾性支持力を強める弾性退避規制部材を備えた場合は、薄紙が搬入されたときは、押え付けガイド部材の本来の押え付け作用により薄紙に応じた押え付けガイドを行い、厚紙が搬入されてきたときは、弾性退避規制部材が押え付けガイド部材の弾性支持力を強めて、厚紙に応じた弾性支持作用を生じさせて、薄紙と厚紙に応じた押え付け力を与えることができる。
【００２２】
【実施例】
この発明の一実施例を以下図面に基づいて詳述する。
図面は用紙反転装置を示し、図１及び図２に示すように、この用紙反転装値１１は用紙Ｐを出し入れ許容する反転路１２の始端側に位置して一方向に回転する左右一対の中間ローラＲ1 と、両側の中間ローラＲ1 に並設して対接し、中間ローラＲ1 との回転で用紙Ｐを反転路１２内に挟持して送り込む搬入ローラＲ2 と、中間ローラＲ1 を挟んで搬入ローラＲ2 と対向する側で、両側の中間ローラＲ1 に並設して対接し、中間ローラＲ1 との回転で用紙Ｐを反転路１２外に挟持して搬出する搬出ローラＲ3 と、反転路１２内に配設し、中間ローラＲ1 と搬入ローラＲ2 による用紙の搬送搬入力に対してはスリップする搬送力で、用紙Ｐに搬出方向の搬送力を付与する反転ローラＲ4 と、反転ローラＲ4 との間で搬送されてきた用紙Ｐの搬送突入力に抗する用紙押え付け力を付与する押え付けガイド板１３とを備えて構成している。
【００２３】
上述の用紙反転装値１１は用途に応じて任意の向きに設置することができ、以下図面に示すように、横向きに設置した場合について説明すると、反転路１２は用紙Ｐを水平方向に出入れ許容する対向隙間を隔てて平面的な上ガイド板１４と下ガイド板１５とを上下に対設し、そのガイド板１４，１５間の一側開口部を外向きに広げてＹ字形に設け、その広げられた中間位置に中間ローラＲ1 を配設し、この中間ローラＲ1 を中心とする上面側に、上ガイド板１４に支持された搬出ローラＲ3 を対接させ、下面側に下ガイド板１５に支持された搬入ローラＲ2 を対接させている。
【００２４】
また、反転路１２の内方位置には、搬出方向に回転する反転ローラＲ4 の下部外周面を反転路１２内に臨ませた状態で上ガイド板１４に固定している。
【００２５】
この反転ローラＲ4 と対向する下方には、下ガイド板１５に支持された支点軸１６を回動支点とする押え付けガイド板１３が取付けられ、この押え付けガイド板１３の基端部に取付けたバネ１７の付勢作用により、押え付けガイド板１３は先端側が反転ローラＲ4 側に押圧付勢される。
【００２６】
このときの回転駆動は、反転路１２始端側の搬送幅方向に時計方向に回転する回転駆動軸１８を横架し、この回転駆動軸１８上の両側に中間ローラＲ1 を並設し、また同軸の中央部に搬送性能を高めるための凹凸ローラＲ5 を取付けており、回転駆動軸１８の回転に基づいて中間ローラＲ1 が一体に回転し、この中間ローラＲ1 の回転に従動して搬入ローラＲ2 と搬出ローラＲ3 とが下側と上側の対接位置で逆向きに回転する。
【００２７】
この回転駆動軸１８と平行して架設された反転ローラ回転軸１９との間を、伝達ベルト２０及び各伝達ギャ２１，２２を介して接続し、回転駆動軸１８からの動力が伝達されて反転ローラ回転軸１９は同軸上の反転ローラＲ4 と一体に反時計方向に回転する。
【００２８】
この反転ローラＲ4 は中間ローラＲ1 までの距離が用紙長さより若干短い値となる位置に配置され、搬送幅方向に対しては反転ローラ回転軸１９上の両側に２個一組の合計４個を配設し、２個一組とする反転ローラＲ4 間に押え付けガイド板１３が介在するように配設し、反転ローラＲ4 には非接触でオーバラップ形に対向している。
【００２９】
この場合、押え付けガイド板１３は先端側の押え付け面１３ａを、反転ローラＲ4 の外周面と同円弧形状に弯曲形成して設け、ここに搬入された薄紙の先端部を容易に弯曲させて、薄紙自体に過大に負荷が加わらないようにしている。この結果、搬入された用紙が薄紙Ｐ1 の場合は、押え付けガイド板１３の変位量が小さく、このため薄紙Ｐ1 は反転ローラＲ4 の外周面に沿うように搬入される。
【００３０】
これに対し、厚紙Ｐ2 の用紙が搬入された場合は、この厚紙Ｐ2 の腰が強いため、反転路１２内で厚紙Ｐ2 の先端部が押え付けガイド板１３を押し下げて直進状態に搬入し、それゆえ押え付けガイド板１３の変位量が大きく、十分な押え付け力を得ることができる。このように、用紙の厚さに追従して押え付け力を付与する可変押え付け力が得られる。図中、２３は搬入ローラ保持フレーム、２４は搬出ローラ保持フレームである。
【００３１】
このように構成された用紙反転装置１１の処理動作を次に説明する。
今、図２に示すように、１枚の用紙Ｐが反転路１２の始端側に導かれて中間ローラＲ1 と搬入ローラＲ2 の間に挟持されて搬入され、搬入された用紙Ｐは直進し、その先端部が反転路内方の反転ローラＲ4 と押え付けガイド板１３との間に突入する。
【００３２】
このとき、反転路１２に搬入されてきた用紙Ｐに対し、その搬送突入力に抗する用紙押え付け力を押え付けガイド板１３により付与しながら搬入させる。このとき、図３に示すように、薄紙Ｐ1 は柔軟なため押え付けガイド板１３の押え付け面１３ａの押え作用を受けながら反転ローラＲ4 の外周面に沿うように導かれるため、搬入された薄紙Ｐ1 は折れ曲ったり圧縮変形せず円滑に搬入される。
【００３３】
また、図４に示すように、厚紙Ｐ2 は腰が強いため、押え付けガイド板１３を押下げ、その反力を受けて厚みに応じた押え付けガイド板１３からの押え付け力が十分に得られるため、厚紙Ｐ2 を比較的強く押え付けながら搬入させ、厚紙Ｐ2 を確実に挟持して安定した搬入動作を得ることができる。
【００３４】
この搬入された用紙の後端部が中間ローラＲ1 と搬入ローラＲ2 の位置より抜けて、反転路１２内に完全に搬入されて用紙Ｐが自由状態になった時点で、搬出方向に回転する反転ローラＰ4 の搬送力を受けて用紙は中間ローラＲ1 と搬出ローラＲ3 間を通って反転路１２外に表裏が反転されて搬出される。このような反転搬送動作を繰返して用紙は１枚ずつ反転搬送される。
【００３５】
図５は押え付けガイド板１３の他の構成例を示し、この構成例においては、押え付けガイド板１３を押えアーム５１と押えガイド片５２とに分割し、これらの２部材を組合せて構成している。
【００３６】
上述の押えアーム５１は、支点軸１６を傾動支点として傾動許容し、このアーム５１の基端部に連結したバネ１７の付勢力を受けて、同アーム５１の先端部が反転ローラＲ4 側に押圧付勢し、この押えアーム５１の先端部が押えガイド片５２の中間位置を枢支している。
【００３７】
上述の押えガイド片５２は、反転ローラＲ4 の下部外周面に沿う同円弧形状を有し、その中間位置の傾動支点部５３を支点にシーソー状に傾動許容して反転ローラＲ4 側に沿うように対応する。
【００３８】
このように構成した場合も押えガイド片５２は薄紙の搬送突入力を受けて傾動許容しながら円滑に搬入させることができる。また、図６に示すように、厚紙Ｐ2 が搬入されたときは押えガイド片５２の先端側は厚紙Ｐ2 の先端部により押下げられて対向する反転ローラＲ4 より押圧退避し、傾動支点部５３を傾動支点に後端側が反転ローラＲ4 側に向けて押圧動作する。
【００３９】
したがって、厚紙Ｐ2 の搬送突入時に該用紙に最も負荷がかかる反転ローラＲ4 への突入時に厚紙Ｐ2 の先端が反転ローラの位置を抜けた時点で、押えガイド片５２の後端側で押圧支持するため用紙に座屈を生じさせず、安定した搬入動作が得られる。その他の構成は、図２における場合と同様である。
【００４０】
図７は同じく押え付けガイド板１３の他の構成例を示し、この構成例においては、バネ１７により押え付け力を有する押えアーム５１と、反転ローラＲ4 の外周面に沿う円弧形状の押えガイド片５２の後端部との間を傾動量調整用のバネ７１で連結して構成した場合を示す。
【００４１】
この場合は、薄紙搬入時に、押えガイド片５２を弾性支持する傾動量調整用のバネ７１の比較的弱い押え付けガイド作用と共に、その傾動許容作用により薄紙に応じた押圧ガイドを行う。
【００４２】
これに対し、厚紙搬入時は押えアーム５１の本来の押え付けガイド作用により厚紙に応じた押圧ガイドを行い、薄紙から厚紙までの通紙処理範囲を大きくとることができる。
【００４３】
図８は同じく押え付けガイド板１３の他の構成例を示し、この構成例においては、反転路１２の上下より臨ませた反転ローラＲ4 と押え付けガイド板１３との配設位置より、さらに奥方の位置に支点軸８１を傾動支点に押え付けガイド板１３と同様な向きに傾動許容する傾動レバー８２の先端部を反転路１２に臨ませて設け、さらに押え付けガイド板１３と傾動レバー８２の間を引張りバネ８３で連結し、通常は傾動レバー８２の先端部が引張りバネ８３の引張り作用を受けて反転路１２内に臨ませた状態に位置させている。
【００４４】
この反転路１２に厚紙Ｐ2 が搬入された場合は、図９に示すように、厚紙Ｐ2 の先端部が傾動レバー８２を押下げ、この動きに応じて押え付けガイド板１３は引張りバネ８３により強く引張られて、反転ローラＲ4 と押え付けガイド板１３との間の押え付け力を高める。この結果、用紙の後端部が搬入力を受けなくなった時点で、厚紙Ｐ2 は反転ローラの搬出方向の搬送力を確実に受けて搬出される。
【００４５】
図１０は同じく押え付けガイド板１３の他の構成例を示し、この構成例においては、傾動レバー８２と押え付けガイド板１３の各基端部を同じ支点軸８１上に枢着し、双方の間を引張りバネ８３で連結したものである。この場合も、図８の構成例と同様な作用効果が得られる。
【００４６】
図１１及び図１２は反転ローラＲ4 の他の構成例を示し、この構成例においては、反転ローラＲ4 の回転軸１９と同軸に反転ローラＲ4 の一部を覆う扇形状を有し、かつ搬入されてきた用紙Ｐの先端と当接する突片１１１を有して、用紙先端部の搬送突入力を受けて回転退避する扇形回転体１１２を設けたものである。この扇形回転体１１２は、搬出方向に付勢された下方の押え付けガイド板１３の押上げ力を受けて、この扇形回転体１１２を位置決め用のストッパ片１１３に係止させて初期位置にセットされている。この場合、扇形回転体１１２が初期位置にセットされている回転待機時には、この扇形回転体１１２に押え付けガイド板１３が位置規制されて、反転ローラＲ4 側への押え付け力が規制されている。
【００４７】
ここに用紙Ｐが搬入されると、図１１に示すように、搬入された用紙Ｐの先端部が扇形回転体１１２の突片１１１に当たって反転ローラＲ4 には接触しないため、この搬出方向に回転する反転ローラＲ4 の負荷がかからず、円滑に搬入動作が行われる。
【００４８】
その後、図１３に示すように、用紙Ｐの先端部が扇形回転体１１２を押しながら回転退避させて反転ローラＲ4 の位置を通過すると、扇形回転体１１２が回転退避することにより反転ローラＲ4 の外周面が表れ、ここに押え付けガイド板１３により押圧された用紙が接して搬出力を受け、用紙の後端部が中間ローラＲ1 と搬入ローラＲ2 との間を抜けて搬入力を受けなくなると、用紙Ｐは搬出方向へと搬送される。
【００４９】
図１４は扇形回転体１１２と上ガイド板１４との間をバネ１４１で連結して、扇形回転体１１２を初期位置にセットするように構成した一例である。この場合は、用紙がバネ１４１の付勢力に抗して搬入し、用紙が搬出されたときはバネ１４１の復帰作用が働いて扇形回転体１１２を初期位置に戻してセットさせる。
【００５０】
図１５は押え付けガイド板１３の他の構成例を示し、この構成例においては、支点軸１６に軸支された押え付けガイド板１３の軸支部より基端側に延びた基端片１５１と対向する下ガイド板１５の下面に退避規制バネ１５２を取付け、退避する方向に傾動したときの退避量を規制する役目を有している。
【００５１】
このため、図１６に示すように、反転路１２に薄紙Ｐ1 が搬入されてきたときは、その薄紙Ｐ1 の搬送突入力を受けて押え付けガイド板１３は退避し、本来の押え付けガイド板１３の押え作用により薄紙Ｐ1 に応じた押圧ガイドを行いながら滑らかに搬入許容させる。
【００５２】
これに対し、図１７に示すように、厚紙Ｐ2 が搬入されてきたときは、その厚紙Ｐ2 の搬送突入力を受けて押え付けガイド板１３は下方に押し下げられて退避すると共に、その厚紙Ｐ2 の厚さに応じて弾性支持力を強める退避規制バネ１５２が押え付けガイド板１３の弾性支持力を強めて厚紙Ｐ2 に応じた弾性支持作用が得られる。
【００５３】
図１８は反転路１２の他の構成例を示し、この構成例においては、搬入ローラＲ2 の回転軸１８１上に第１プーリ１８２を取付け、この第１プーリ１８２の端面には、図１９にも示すように、回転規制用の係合段部１８３を形成し、この係合段部１８３に搬入レバー１８４の先端部を係合可能にして中間ローラＲ1 の外周面に付勢対接させている。
【００５４】
この場合、第１プーリ１８２にはトルクリミッタが備えられ、用紙が搬入されていない場合は、第１プーリ１８２に取付けられている係合段部１８３は反時計方向に回転している。
【００５５】
これに対し、中間ローラＲ1 と搬入ローラＲ2 との間に用紙Ｐが搬入されると、この用紙Ｐの搬入により搬入レバー１８４は押し下げられ、このとき搬入レバー１８４の先端部が係合段部１８３に係合して第１プーリ１８２を回転規制し、トルクリミッタの作用により滑りを発生する。
【００５６】
この第１プーリ１８２と、半月状に形成した半月反転ローラ１８５と同回転軸１８５上に一体の第２プーリ１８６との間を搬入用の伝達ベルト１８７で接続し、用紙Ｐの搬入に伴って搬入レバー１８４が係合動作して第１、第２プーリ１８２，１８６の回転が抑止されているとき、図２０に示すように、半月反転ローラ１８５は半月状の切欠き面１８５ａが反転路１２と平行した状態に設定されており、押圧力を発生させない状態に保持している。
【００５７】
その後、図２１に示すように、用紙Ｐの後端部が搬入レバー１８４の位置を抜けると、係合段部１８３の回転規制が解除されて第１、第２プーリ１８２，１８６が同期回転して半月反転ローラ１８５は回転を始めるため、搬出方向の搬送力を発生する。
【００５８】
このように、押え付けガイド板１３に変えて押え付けガイド用の半月反転ローラ１８５を用いて構成することもできる。
【００５９】
図２２はこの発明の用紙反転装置１１を複写機２２１に適用した一例を示す。この用紙反転装置１１は複写機２２１の用紙放出口２２２とソータ２２３の間に縦向きに介在させて配設し、複写機２２１内部の各給紙カセット２２４ａ〜２２４ｄのいずれかから１枚ずつ繰出され、繰出された用紙Ｐは給紙経路２２５上の転写ドラム２２６の位置で画像が転写された後、用紙反転装置１１に導かれ、ここで表裏が反転されて後段のソータ２２３を介して放出トレー２２７へと１枚ずつ放出される。
【００６０】
この結果、複数枚の複写が終了して全ての印刷用紙が放出トレー２２６に積載されたとき、その印刷用紙は頁順序が守られる。
【００６１】
図２３はこの発明の用紙反転装置１１を両面複写機２３１に適用した一例を示す。
この場合は、両面複写機２３１の一側面に用紙反転装置１１を縦型に取付けたものであって、この複写機内部の給紙カセット２３２ａ〜２３２ｄから繰出された用紙Ｐは給紙経路２３３上の転写ドラム２３４の位置で画像が転写され、片面印刷のときはそのまま用紙放出口２３５へと放出される。このとき、両面印刷が必要なときは、反転用フラッパ２３６に振分けられて用紙反転装置１１に導かれ、ここで表裏が反転された後、再び給紙経路２３３の始端側に合流させて転写ドラム２３４の位置で他側の印刷面に画像を転写することにより両面複写が完了し、この両面複写後は用紙放出口２３５へと放出される。このような両面複写機に適用した場合は、厚さの異なる様々な種類の用紙を用いても安定した反転動作が得られる。
【００６２】
上述のように、反転路の始端側より用紙を導いて挟持搬入させると、搬入された用紙の先端部は、反転路内方の反転ローラと押え付けガイド板との間に突入する。このとき、搬入する用紙に対し、その搬送突入力に抗する用紙押え付け力を押え付けガイド板が付与しつつ搬入させ、さらにこの押え付けガイド板の押え付け面は、反転ローラの外周面と同円弧形状に弯曲形成してあるため、搬入された用紙が薄紙の場合は比較的腰が弱いため、押え付けガイド板の円弧形状及び反転ローラの外周面に薄紙先端部がなじむ如く沿いながら搬入する。それゆえ、押え付けガイド板自体の変位量は小さく、薄紙に適した押え付け力を安定して付与する。これに対し、厚紙の場合は腰が強いため、搬入方向の直進性が強く、この厚紙の先端部で前方の押え付けガイド板を押し下げる如く搬入する。このため、押し下げられた押え付けガイド板の変位量が大きく、これに比例して押え付け反力が増大し、厚紙に対しては十分な押え付け力を得ることができる。この結果、用紙の厚さに追従して押え付け力を付与する可変押え付け力を得ることができる。それゆえ、腰の弱い薄紙を滑らかに搬入させ、また腰の強い厚紙を確実に挟持して円滑に反転させることができる。
【００６３】
さらに、押え付けガイド板を押えアームと押えガイド片とに分割して押え付け部分が小さく前後に傾動するシーソー状の傾動許容機能を持たせた場合は、用紙の搬入動作に自然に追従しながら傾動許容する。また、押えガイド片は搬送方向の前後に傾動して、その先端側と後端側とのいずれかが用紙を押え付け動作するため、用紙に最も負荷がかかる用紙の搬送突入時には傾動退避して用紙の先端部に加わる負荷を軽減し、それゆえ座屈や変形を解消して安定した搬入動作が得られる。
【００６４】
また、この押えガイド片の後部側と押えアームとの間を傾動量調整用のバネで連結した場合は、薄紙と厚紙に応じて押えガイド片は小変位あるいは大変位して厚さに応じた押え付け力を付与するガイドを行い、薄紙から厚紙までの通紙処理範囲を大きくとることができる。
【００６５】
また、搬送されてきた用紙の搬送突入力を受けて傾動退避する傾動レバーと、押え付けガイド板を引張りバネで連結した場合は、傾動レバーの動きに応じて押え付けガイド板が押え付け動作する連動型に設けることができ、このときは搬入された用紙の厚さに応じて傾動量が異なり、これに連動して適切な押え付け力を自然に得ることができる。
【００６６】
また、押え付けガイド板の構造は変えず、反転ローラ側の構造を、扇形回転体を組合せるなどして変えても、用紙の搬送突入力を利用して円滑な反転機能を得ることができる。
【００６７】
さらに、押え付けガイド板は、薄紙と厚紙の双方に共通して押え付け作用させる共通のバネを持たせるだけでなく、厚紙専用の退避規制バネを持たせて厚紙が搬入されてきたときは、その厚紙の厚さに応じて弾性支持力を強める退避規制バネが厚紙に応じた弾性支持作用を生じさせて、薄紙と厚紙に応じた押え付け力を得ることができる。
【００６８】
この発明と、上述の一実施例の構成との対応において、
この発明の第１のローラは、実施例の中間ローラＲ1 に対応し、
以下同様に、
第２のローラは、搬入ローラＲ2 に対応し、
第３のローラは、搬出ローラＲ3 に対応し、
第４のローラは、反転ローラＲ4 と、半月反転ローラ１８５に対応し、
押え付けガイド部材は、押え付けガイド板１３に対応し、
第１部材は、押えアーム５１に対応し、
第２部材は、押えガイド片５２に対応し、
傾動量調整用の弾性部材は、バネ７１に対応し、
押圧付勢手段は、引張りバネ８３に対応し、
当接面は、突片１１１に対応し、
回転部材は、扇形回転体１１２に対応し、
弾性退避規制部材は、退避規制バネ１５２に対応するも、
この発明は、請求項に示される技術思想に基づいて応用することができ、上述の実施例の構成のみに限定されるものではない。
【図面の簡単な説明】
【図１】  この発明の用紙反転装置を示す一部破断底面図。
【図２】  この発明の用紙反転装置を示す側面図。
【図３】  この発明の用紙反転装置の薄紙搬入状態を示す側面図。
【図４】  この発明の用紙反転装置の厚紙搬入状態を示す側面図。
【図５】  この発明の押え付けガイド板の他の構成例を示す側面図。
【図６】  この発明の押え付けガイド板の他の構成例の使用状態を示す側面図。
【図７】  この発明の押え付けガイド板の他の構成例を示す要部拡大側面図。
【図８】  この発明の押え付けガイド板の他の構成例を示す側面図。
【図９】  この発明の押え付けガイド板の他の構成例の使用状態を示す側面図。
【図１０】  この発明の押え付けガイド板の他の構成例を示す側面図。
【図１１】  この発明の他の押え付け構造例を示す側面図。
【図１２】  この発明の扇形回転体を示す要部斜視図。
【図１３】  この発明の扇形回転体の使用状態を示す側面図。
【図１４】  この発明の他の押え付け構造例を示す側面図。
【図１５】  この発明の押え付けガイド板の他の構成例を示す側面図。
【図１６】  この発明の押え付けガイド板の他の構成例の薄紙使用状態を示す側面図。
【図１７】  この発明の押え付けガイド板の他の構成例の厚紙使用状態を示す側面図。
【図１８】  この発明の反転路の他の構成例を示す側面図。
【図１９】  この発明の反転路の他の構成例の係合段部を示す要部斜視図。
【図２０】  この発明の反転路の他の構成例の用紙搬入状態を示す側面図。
【図２１】  この発明の反転路の他の構成例の用紙搬入終了状態を示す側面図。
【図２２】  この発明の用紙反転装置を複写機に組込んだ一例を示す概略側面図。
【図２３】  この発明の用紙反転装置を両面複写機に組込んだ一例を示す概略側面図。
【図２４】  従来の用紙反転装置を示す概略側面図。
【符号の説明】
１１…用紙反転装置
１２…反転路
１３…押え付けガイド板
１３ａ…押え付け面
１６…支点軸
１７…バ  ネ
Ｐ1 …薄  紙
Ｐ2 …厚  紙
Ｐ…用  紙
Ｒ1 …中間ローラ
Ｒ2 …搬入ローラ
Ｒ3 …搬出ローラ
Ｒ4 …反転ローラ
５１…押えアーム
５２…押えガイド片
５３…傾動支点部
７１…傾動量調整用のバネ
８２…傾動レバー
８３…引張りバネ
１１１…突  片
１１２…扇形回転体
１４１…バ  ネ
１５２…退避規制バネ
【図１】
0003738621.tif 000002
【図２】
0003738621.tif 000003
【図３】
0003738621.tif 000004
【図４】
0003738621.tif 000005
【図５】
0003738621.tif 000006
【図６】
0003738621.tif 000007
【図７】
0003738621.tif 000008
【図８】
0003738621.tif 000009
【図９】
0003738621.tif 000010
【図１０】
0003738621.tif 000011
【図１１】
0003738621.tif 000012
【図１２】
0003738621.tif 000013
【図１３】
0003738621.tif 000014
【図１４】
0003738621.tif 000015
【図１５】
0003738621.tif 000016
【図１６】
0003738621.tif 000017
【図１７】
0003738621.tif 000018
【図１８】
0003738621.tif 000019
【図１９】
0003738621.tif 000020
【図２０】
0003738621.tif 000021
【図２１】
0003738621.tif 000022
【図２２】
0003738621.tif 000023
【図２３】
0003738621.tif 000024
【図２４】
0003738621.tif 000025